(57)【要約】【課題】  ジャム処理性及びメンテナンス性の向上を図ったシート搬送装置を提供することを目的とする。【解決手段】  開放アーム部材６９を回動させることにより上部搬送ガイド５３が回動され搬送路が開放可能とされる。この為、シート搬送装置内部に手を入れて搬送ガイドを直接引き上げなくても、搬送路の開放が容易に行え、ジャム処理性及びメンテナンス性を向上させることができる。【選択図】  図２
2005154129.tif 000002
【特許請求の範囲】
【請求項１】
回転自在に軸支されシートを挟持搬送する搬送ローラ対と、
前記搬送ローラ対にシートを供給する搬送路と、
前記搬送路の上部に配置される上部搬送ガイドと、
前記搬送路の下部に配置される下部搬送ガイドと、
前記上部搬送ガイド又は下部搬送ガイドを回動自在に支持する回動支持部と、を備え、
前記回動支持部を支点として前記上部搬送ガイド又は下部搬送ガイドが回動されて、前記搬送路が開放可能とされるシート搬送装置において、
前記上部搬送ガイド又は下部搬送ガイドを回動させる開放アーム部材と、
前記開放アーム部材の一端側に設けられ前記開放アーム部材を回動自在に軸支する基部と、
前記上部搬送ガイド又は下部搬送ガイドに設けられ前記開放アーム部材の他端側が係合する係合部と、を備え、
前記基部を中心として前記開放アーム部材を回動させることにより、前記開放アーム部材の他端側が前記係合部に係合して、前記上部搬送ガイド又は下部搬送ガイドが回動され、前記搬送路が開放されることを特徴とするシート搬送装置。
【請求項２】
前記搬送ローラ対の回転軸にノブを設けたことを特徴とする請求項１記載のシート搬送装置。
【請求項３】
前記基部が前記搬送ローラ対の回転軸と同軸に軸支され、前記基部にワンウェイ機構を有し、前記ワンウェイ機構が前記基部と前記搬送ローラ対とを該搬送ローラ対がシート搬送方向に正転するときには空転させ、前記搬送ローラ対が逆転するときにはロックすることを特徴とする請求項２記載のシート搬送装置。
【請求項４】
前記基部が前記搬送ローラ対の回転軸の近傍に軸支されたことを特徴とする請求項１又は２記載のシート搬送装置。
【請求項５】
前記基部に前記開放アーム部材を回動させるユーザー操作部が突出形成されたことを特徴とする請求項４記載のシート搬送装置。
【発明の詳細な説明】
【技術分野】
【０００１】
本発明は、シートに画像を形成する複写機、プリンタあるいはファクシミリ等の画像形成装置に用いられ、円筒状のローラ対によりシートを画像形成装置の所定位置に挟持搬送するシート搬送装置に関する。
【背景技術】
【０００２】
従来、シート搬送装置を有するレーザプリンタ等の画像形成装置は、図５に示すように、画像形成装置の下部に備えられた給紙カセット６内に収納されたシートが給紙ローラ７により給送され、シートガイド１８に導かれて、シート搬送手段８によって感光体ドラム３と転写ローラ９とのニップ部に送られる。そして、感光体ドラム３と転写ローラ９とのニップ部では、感光体ドラム３上に形成されたトナー像がシートに転写される。
【０００３】
次に、前記画像形成装置に用いられるシート搬送装置について説明する。感光体ドラム３と転写ローラ９とのニップ部よりシートの搬送方向上流側であって、シート搬送手段８と該ニップ部との間には、シート搬送装置を構成するレジストローラ対１０が設けられており、レジストローラ対１０が、シートの斜行補正や感光体ドラム３との同期等を行うとともに、シートを感光体ドラム３と転写ローラ９とのニップ部に搬送する。そして、前述のとおり感光体ドラム３と転写ローラ９とのニップ部に搬送されたシートにトナー像が転写され、その後、該定着器で加熱、加圧されて画像が定着され、プリンタから排出される。
【０００４】
次に従来技術に係るシート搬送装置について図６及び図７を用いて説明する。
【０００５】
図６は従来のシート搬送装置の断面斜視図であり、図７は従来のシート搬送装置のガイド部材が開放された状態を示す断面斜視図である。
【０００６】
図６に示すように、シートの搬送方向出口側である図中左端に、金属ローラからなるレジスト上ローラ５１が配置され、レジスト上ローラ５１の下方にゴムローラからなるレジスト下ローラ５２が配置される。そして、前記レジスト上ローラ５１と前記レジスト下ローラ５２とでレジストローラ対５１，５２が形成される。
【０００７】
レジストローラ対よりもシートの搬送方向上流側には、レジスト前ローラ５４が配置される。また、レジスト前ローラ５４の上方には、レジ前コロ５５が配置される。レジ前コロ５５は、レジ前コロバネ５６によりレジスト前ローラ５４に付勢されて、レジスト前ローラ対５４，５５が形成される。
【０００８】
レジスト上ローラ５１及びレジスト下ローラ５２は、それぞれレジスト上ローラ軸受５９及びレジスト下ローラ軸受６０によって回転自在に軸支される。また、レジスト前ローラ５４はレジスト前ローラ軸受６３により回転自在に軸支される。
【０００９】
レジスト上ローラ軸受け５９、レジスト下ローラ軸受け６０及びレジスト前ローラ軸受け６３は、それぞれ前記レジスト上ローラ５１、レジスト下ローラ５２及びレジスト前ローラ５４の両端側に備えられ、それぞれレジスト右側板５７と、該レジスト右側板５７に対向配置される図示しないレジスト左側板とに固定される。
【００１０】
レジストローラ対５１，５２とレジスト前ローラ対５４，５５との間には、搬送ガイドであるところのレジスト上ガイド５３及びレジスト下ガイド６２が所定の間隔をもって対
向配置される。レジスト上ガイド５３及びレジスト下ガイド６２は前記レジスト右側板５７及び図示しないレジスト左側板間に固定されている。
【００１１】
レジスト前ローラ対５４，５５よりシートの搬送方向上流側には、レジスト前ガイド６１が備えられている。レジスト下ガイド６２は、レジスト前ローラ５４の一部が該レジスト下ガイド６２の上面に露呈するように切り欠きを有するとともに、レジスト前ローラ５４よりもシートの搬送方向上流側まで延在する。そして、レジスト前ガイド６１がレジ前コロ５５よりもシートの搬送方向上流側においてレジスト下ガイド６２に所定の間隔をもって対向配置される。
【００１２】
これにより、前記レジスト上ガイド５３、レジスト下ガイド６２及びレジスト前ガイド６１によりシート搬送装置の搬送路が区画形成される。
【００１３】
また、レジスト前ガイド６１の一端側は、レジスト前ガイド軸６４に回動自在に軸支されており、該レジスト前ガイド軸６４を支点として前記レジスト前ガイド６１が回動して搬送路が開放される。
【００１４】
また、前記レジスト前ガイド６１の他端側の側面から側方にレジスト前ガイドロック軸６５が突設される。レジスト前ガイドロック軸６５は、レジスト右側板５７及び図示しないレジスト左側板の対抗面間に突出形成されるロック部材６６の下面に係止可能とされる。
【００１５】
従って、前記レジスト前ガイドロック軸６５をロック部材６６の下面に係止することにより、レジスト前ガイド６１が前記レジスト下ガイド６２に対して、所定の間隔をもって対向配置した状態で固定される。
【００１６】
レジスト前ガイドロック軸６５ａと、図示しないレジスト左側板に形成された係止部との間には、中央部分が前記ロック部材６６の斜面部先端６６ａを乗り越えるように配置されるレジスト前ガイドバネ６７が張設される。
【００１７】
このため、レジスト前ガイド６１を図中上方に引っ張り上げると、前記レジスト前ガイドロック軸６５と前記ロック部材６６の下面との係止状態が解除され、レジスト前ガイド６１が前記レジスト前ガイドバネ６７の付勢力を利用して上方へと引き上げら搬送路が開放される。
【００１８】
レジスト上ローラ５１の回転軸には、ジャム処理ダイヤル６８が取り付けられる。ジャム処理ダイヤル６８は、レジスト上ローラ５１を手動で回転することが出来るように構成されており、レジスト上ローラ５１及び前記レジスト下ローラ５２の間にニップされた状態でシートが搬送路内に滞留した場合には、ジャム処理ダイヤル６８を回転させてシートを取り除くことができる。
【００１９】
次に、上記シート搬送装置内で紙詰まりした場合のジャム処理動作について図７を参照して説明する。
【００２０】
シート搬送装置内で紙詰まりした場合のジャム処理動作としては、まずユーザーは、図示しない画像形成装置本体の外装カバーを開けて、ジャム処理ダイヤル６８を図中時計回りに回転させる。
【００２１】
ここで、搬送路内に滞留したシートが、レジスト上ローラ５１及びレジスト下ローラ５２にニップされた状態であれば、該レジストローラ対の下流にシートが送り出されて、シ
ートを取り除くことができる。また、シートがレジスト上ローラ５１及びレジスト下ローラ５２のニップ部に到達していない場合には、ジャム処理ダイヤル６８を回してもシートが排出されないので、ユーザーはレジスト前ガイド６１を上方へと引き上げ、搬送路を開放してから搬送路内に滞留しているシートを取り除く（例えば、特許文献１参照。）。
【００２２】
【特許文献１】特開平７−１３７８７９号公報
【発明の開示】
【発明が解決しようとする課題】
【００２３】
しかしながら、従来のこのようなシート搬送装置は、搬送路内にシートが滞留した場合には、無理矢理シートを引っ張り出す必要があり、この場合に、画像形成装置本体に手を入れて、シート搬送装置のガイド部材を直接引き上げてシートを取り除かなければならない場合が多い。この時、シート搬送装置のガイド部材を直接引き上げるスペースを確保する為に、画像形成装置本体の外装カバーを開放することや、ＣＲＧや定着器等のユニットを脱着する事が必要になる場合があり、ジャム処理に手間がかかっていた。また、ユーザーが画像形成装置に手を入れてガイド部材の開閉操作を行う際に、装置に付着したトナー等により手を汚す可能性や部品を破損してしまう可能性があった。
【００２４】
本発明は、上記した従来のシート搬送装置の問題点を解決し、ジャム処理性及びメンテナンス性の向上を図ったシート搬送装置を提供することを目的とする。
【課題を解決するための手段】
【００２５】
上記目的を達成するために本発明にあっては、回転自在に軸支されシートを挟持搬送する搬送ローラ対と、前記搬送ローラ対にシートを供給する搬送路と、
【００２６】
前記搬送路の上部に配置される上部搬送ガイドと、前記搬送路の下部に配置される下部搬送ガイドと、前記上部搬送ガイド又は下部搬送ガイドを回動自在に支持する回動支持部と、を備え、前記回動支持部を支点として前記上部搬送ガイド又は下部搬送ガイドが回動されて、前記搬送路が開放可能とされるシート搬送装置において、前記上部搬送ガイド又は下部搬送ガイドを回動させる開放アーム部材と、前記開放アーム部材の一端側に設けられ前記開放アーム部材を回動自在に軸支する基部と、前記上部搬送ガイド又は下部搬送ガイドに設けられ前記開放アーム部材の他端側が係合する係合部と、を備え、前記基部を中心として前記開放アーム部材を回動させることにより、前記開放アーム部材の他端側が前記係合部に係合して、前記上部搬送ガイド又は下部搬送ガイドが回動され、前記搬送路が開放されることを特徴とする。
【００２７】
本発明によれば、シート搬送装置内で紙詰まりした場合のジャム処理動作として、開放アーム部材を回動させることにより前記上部搬送ガイド又は下部搬送ガイドの少なくともいずれか一方が回動され、前記搬送路が開放可能とされるので、シート搬送装置内部に手を入れて搬送ガイドを直接引き上げる必要がなくなり、前記搬送路の開放を容易に行え、ジャム処理性及びメンテナンス性を向上させることができる。
【００２８】
本発明の好ましい態様によれば、前記搬送ローラ対の回転軸にノブを設けたことを特徴とする。
【００２９】
このため、ジャム処理動作として、まず、前記ノブを回転させることにより、搬送路内に滞留したシートがレジストローラ対にニップされた状態であれば、該レジストローラの下流にシートが送り出されてシートを取り除くことができる。また、シートが前記レジストローラ対にニップされていない場合には、開放アーム部材を回動させることにより前記
搬送路が開放可能とされるので、搬送ガイド内に滞留したシートの発見とジャム処理を容易に行うことができる。
【００３０】
本発明の好ましい態様によれば、前記基部が前記搬送ローラ対の回転軸と同軸に軸支され、前記基部にワンウェイ機構を有し、前記ワンウェイ機構が前記基部と前記搬送ローラ対とを該搬送ローラ対がシート搬送方向に正転するときには空転させ、前記搬送ローラ対が逆転するときにはロックすることを特徴とする。
【００３１】
このため、ジャム処理動作として、まず、前記ノブを前記レジストローラ対の搬送方向に回すと、シート搬送装置内にあるシートをシート搬送装置下流側に送り出すことができる。また、前記ノブを回してもシートが送り出されない場合には、前記ノブを前記レジストローラ対のシート搬送方向と逆方向に回すと、前記開放アーム部材が回動されて前記搬送路が開放されるので、ジャム処理操作を一箇所の操作を行うのみで搬送ガイド内に滞留したシートの発見とジャム処理とを容易に行うことが出来る。
【００３２】
本発明の好ましい態様によれば、前記基部が前記搬送ローラ対の回転軸の近傍に軸支されたことを特徴とする。
【００３３】
即ち、前記開放アーム部材の基部を前記搬送ローラ対の回転軸の近傍であって、前記搬送ローラ対の回転軸とは別に軸支したものである。
【００３４】
このため、ジャム処理動作として、前記レジストローラ対を回転させてシート搬送装置下流側に送り出す動作と、開放アーム部材を回動させることにより前記搬送路を開放して搬送ガイド内に滞留したシートを取り出す動作とを、近接した範囲で行うことができジャム処理性を向上させることができる。
【００３５】
本発明の好ましい態様によれば、前記基部に前記開放アーム部材を回動させるユーザー操作部が突出形成されたことを特徴とする。
【００３６】
このため、前記開放アーム部材の回動動作を容易に行うことができる。
【発明の効果】
【００３７】
以上説明したように、本発明のシート搬送装置によれば、シート搬送装置内で紙詰まりした場合のジャム処理動作として、開放アーム部材を回動させることにより上部搬送ガイド又は下部搬送ガイドの少なくともいずれか一方が回動され搬送路が開放可能とされるので、シート搬送装置内部に手を入れて搬送ガイドを直接引き上げる必要がなくなり、搬送路の開放が容易に行え、ジャム処理性及びメンテナンス性を向上させることができる。
【発明を実施するための最良の形態】
【００３８】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３９】
〔第１の実施の形態〕
図１は本発明の第１の実施形態に係るシート搬送装置の断面斜視図である。図２は第１の実施形態に係るシート搬送装置の搬送ガイドの開放状態を説明する断面斜視図である。
【００４０】
図１及び図２に示すシート搬送装置は、従来技術に係る画像形成装置と同様に、通常レーザプリンタ等の感光体ドラムと転写ローラとのニップ部より上流側であって、シート搬
送手段と該ニップ部との間に設けられ、シート搬送装置を構成する搬送ローラ対であるところのレジストローラ対がシートの斜行補正や前記感光体ドラムとの同期等を行うとともにシートを前記感光体ドラムと転写ローラとのニップ部に搬送する。
【００４１】
更に、上部搬送ガイド５３の下流側には、上部搬送ガイド５３に連続するとともに、下部搬送ガイド６２から所定間隔をおいて対向するレジスト前ガイド６１が配置される。そして、下部搬送ガイド６２、上部搬送ガイド５３及びレジスト前ガイド６１によって区画形成される空間がシートの搬送路となる。
【００４２】
上部搬送ガイド５３は、レジスト上ローラ５１側の一端に回動支持部７１が形成される。回動支持部７１は、上部搬送ガイド５３を回動自在に支持するとともに、その支軸がシート搬送装置の筐体であるところのレジスト右側板５７及び図示しないレジスト左側板に軸支される。また、上部搬送ガイド５３の他端側には、係合部５３ａがシートの搬送方向と直交する幅方向に突出形成される。
【００４３】
搬送ガイド５３の先端両側に対応する位置には、係止部材７０を備えている。また、係止部材７０の先端に、レジスト上ローラ５１に向けて突出する爪部７０ａが形成される。そして、搬送ガイド５３の係合部５３ａが、係止部材７０先端の爪部７０ａに係止され、搬送ガイド５３が所定の位置に固定配置される。
【００４４】
レジスト上ローラ５１及びレジスト下ローラ５２の各回転軸は、該ローラの両側部に配置されるレジスト上ローラ軸受け５９及びレジスト下ローラ軸受け６０により挟持軸支されている。
【００４５】
レジスト上ローラ軸受け５９及びレジスト下ローラ軸受け６０は、それぞれレジスト右側板５７及び図示しないレジスト左側板に固定される。尚、前記レジスト上ローラ５１及びレジスト下ローラ５２は画像形成時には図示しないモータにより駆動される。
【００４６】
上部搬送ガイド５３の側方には、開放アーム部材６９を備えている。開放アーム部材６９の一端側の基部６９ａには、基部６９ａの中心にレジスト上ローラ５１の回転軸が貫通する貫通孔が穿設され、開放アーム部材６９とレジスト上ローラ５１とが同軸に軸支される。
【００４７】
開放アーム部材６９の他端側の先端は、上部搬送ガイド５３の係合部５３ａに係合するように構成されている。また、開放アーム部材６９の先端は、上部搬送ガイド５３が下部搬送ガイド６２に対して対向配置され、搬送路を閉じた状態のときには、係止部材７０の側方に突設された支持部７０ｂ上に支持されている。
【００４８】
そして、開放アーム部材６９を回動させると、その先端が上部搬送ガイド５３の係合部５３ａに下方側から係合し、更に、上部搬送ガイド５３の係合部５３ａと爪部７０ａとの係止が解かれて上部搬送ガイド５３が回動される。
【００４９】
レジスト上ローラ５１の回転軸にはノブ６８が軸支されている。従って、ノブ６８を回転させることによりレジスト上ローラ５１の回転軸を回動させることができる。
【００５０】
開放アーム部材６９の基部６９ａとレジスト上ローラ５１の回転軸との間には図示しないワンウェイ機構が設けられている。そして、レジスト上ローラ５１がシート搬送方向に回転（正転）する時には基部６９ａとレジスト上ローラ５１の回転軸とが空転して滑りが生じるように構成され、一方、レジスト上ローラ５１がシート搬送方向とは逆方向に回転（逆転）する時には、基部６９ａとレジスト上ローラ５１の回転軸とがロックされるよう
に構成されている。
【００５１】
従って、ノブ６８をレジスト上ローラ５１が正転する方向に回転させると、その回転力は開放アーム部材６９の基部６９ａには伝達されず、一方、ノブ６８を逆転させると基部６９ａも逆転し、開放アーム部材６９がノブ６８と連れ回るように立ち上がる。
【００５２】
図２は以上説明した第１の実施形態に係るシート搬送装置において、ノブ６８を逆転させて、上部搬送ガイド５３を下部搬送ガイド６２から開放させた状態を示した図である。
【００５３】
次に、第１の実施形態に係るシート搬送装置のジャム処理動作について説明する。
【００５４】
シート搬送装置内で紙詰まりした場合のジャム処理動作としては、まず、シートがシート搬送装置内で滞留した場合、ユーザーはノブ６８を正転させる。この場合、レジスト上ローラ５１とレジスト下ローラ５２とのニップにシートが到達している場合は、シート搬送装置の下流側にシートが送り出されてジャム処理が可能になる。
【００５５】
その際、開放アーム部材６９の基部６９ａには、前述のとおりワンウェイ機構を備えているので、ノブ６８を正転させても開放アーム部材６９は回転せず、その先端は、支持部７０ｂに支持された状態を保つ。
【００５６】
一方、レジスト上ローラ５１とレジスト下ローラ５２とのニップ部にシートが到達せず、シート搬送装置内にシートが滞留してしまった場合には、ノブ６８を正転させてもシートが送り出されることは無い。
【００５７】
この場合、ノブ６８を逆転させると、該ノブ６８と基部６９ａとは、前記ワンウェイ機構がロックされてつれ回り、開放アーム部材６９の先端が、上部搬送ガイド５３の係合部５３ａに下方側から係合し、更に、上部搬送ガイド５３の係合部５３ａと爪部７０ａとの係止が解かれて上部搬送ガイド５３が回動して、搬送路が開放される。そして、開放された搬送路に滞留しているシートをユーザーが容易に取り除くことができる。
【００５８】
ジャム処理後は、ノブ６８を正転させ開放アーム部材６９を支持部７０ｂに突き当てて支持させる。なお、開放アーム部材６９は自重でも支持部側に戻ることができる。開放アーム部材６９が支持部７０ｂ側に戻ると、上部搬送ガイド５３もそれに伴い前記係合部５３ａが前記爪部７０ａの上面に当接するまで回動する。そして、上部搬送ガイド５３の係合部５３ａが爪部７０ａの上面に当接した状態で、上部搬送ガイド５３を上方から軽く押さえ付けると、爪部７０ａが撓んで係合部５３ａが爪部７０ａの下側にもぐり込んで、上部搬送ガイド５３は再び所定の位置に係止される。
【００５９】
レジスト前ガイド６１は、上部搬送ガイド５３側の一端側がレジスト前ガイド軸６４に回動自在に軸支されており、該レジスト前ガイド軸６４を支点としてレジスト前ガイド６１が回動され搬送路が開放される。また、レジスト前ガイド６１の他端側の両側面にはレジスト前ガイドロック軸６５が側方に突設される。そして、レジスト前ガイドロック軸６５は、レジスト右側板５７及び図示しないレジスト左側板に対向配置されるロック部材６６の下面に係止される。
【００６０】
レジスト前ガイドロック軸６５と、図示しないレジスト左側板に形成された係止部との間には、中央部分が前記ロック部材６６の斜面部先端を乗り越えるように配置されるレジスト前ガイドバネ６７が張設される。
【００６１】
このため、レジスト前ガイド６１を図中上方に引っ張り上げると、レジスト前ガイドロ
ック軸６５がロック部材６６の下面に係止する状態が解除されて、レジスト前ガイド６１がレジスト前ガイドバネ６７の付勢力を利用して上方へと引き上げら搬送路が開放される。
【００６２】
このように、従来通りに、レジスト前ガイド６１の係止を解除してシートを取り除くことも可能である。
【００６３】
〔第２の実施の形態〕
図３は本発明の第２の実施形態に係るシート搬送装置の断面斜視図である。図４は第２の実施形態に係るシート搬送装置の搬送ガイドの開放状態を説明する断面斜視図である。
【００６４】
第２の実施の形態に係るシート搬送装置は、開放アーム部材６９がレジスト上ローラ５１の回転軸の近傍である上部搬送ガイド５３の回動支持部７１に設けられている。
【００６５】
上部搬送ガイド５３の回動支持部７１は上部搬送ガイド５３を回動自在に支持するとともに、その支軸の一方がシート搬送装置の筐体であるところのレジスト右側板５７に軸支されている。また、回動支持部７１の支軸の他方には、回転軸７１ａが突出している。
【００６６】
また、開放アーム部材６９の基部６９ａにはユーザー操作部７２が突設されている。前記ユーザー操作部７２の中心には貫通孔が穿設され、該貫通孔を回転軸７１ａが貫通して開放アーム部材６９が回動自在に軸支される。さらに、貫通孔を貫通した回転軸７１ａの先端にスナップリングが嵌入され前記開放アーム部材６９を固定している。
【００６７】
レジスト上ローラ５１には、ノブ６８が設けられている。また、ノブ６８とレジスト上ローラ５１の回転軸との間には図示しないワンウェイ機構が設けられている。そして、ノブ６８の回転方向がレジスト上ローラ５１のシート搬送方向の回転（正転）である場合には、ノブ６８とレジスト上ローラ５１の回転軸とがロックされ、また、ノブ６８の回転方向が逆転である場合には、ノブ６８とレジスト上ローラ５１の回転軸とが空転して滑りが生じるように構成されている。従って、ノブ６８はシート搬送方向にのみレジスト上ローラ５１を回転させることができる。
【００６８】
その他の構成は第１の実施の形態と同様であるので、その説明を省略する。
【００６９】
次に、第２の実施形態に係るシート搬送装置のジャム処理動作について説明する。
【００７０】
シート搬送装置内で紙詰まりした場合のジャム処理動作としては、まず、シートがシート搬送装置内で滞留した場合、ユーザーはノブ６８を正転させる。この場合、レジスト上ローラ５１とレジスト下ローラ５２とのニップにシートが到達している場合は、シート搬送装置の下流側にシートが送り出されてジャム処理が可能になる。
【００７１】
その際、ノブ６８には、ワンウェイ機構を備えているので、レジスト上ローラ５１を逆転させることが出来ない構造となっている。
【００７２】
一方、レジスト上ローラ５１とレジスト下ローラ５２とのニップ部にシートが到達せず、シート搬送装置内にシートが滞留してしまった場合には、ノブ６８を正転させてもシートが送り出されることは無い。
【００７３】
この場合、ユーザー操作部７２を回転させて開放アーム部材６９の先端が上部搬送ガイド５３の係合部５３ａに下方側から係合し、上部搬送ガイド５３の係合部５３ａと爪部７０ａとの係止が解かれて、更に、上部搬送ガイド５３を回動させて、搬送路が開放される
。そして、開放された搬送路に滞留しているシートをユーザーは容易に取り除くことができる。
【図面の簡単な説明】
【００７４】
【図１】図１は第１の実施形態に係るシート搬送装置の断面斜視図である。
【図２】図２は第１の実施形態に係るシート搬送装置の断面斜視図である。
【図３】図３は第２の実施形態に係るシート搬送装置の断面斜視図である。
【図４】図４は第２の実施形態に係るシート搬送装置の断面斜視図である。
【図５】図５は従来の画像形成装置の概略断面図である。
【図６】図６は従来のシート搬送装置の断面斜視図である。
【図７】図７は従来のシート搬送装置の断面斜視図である。
【符号の説明】
【００７５】
５１  レジスト上ローラ（搬送ローラ対）
５２  レジスト下ローラ（搬送ローラ対）
５３  上部搬送ガイド
５３ａ  係合部
６２  下部搬送ガイド
６８  ノブ
６９  開放アーム部材
６９ａ  基部
７１  回動支持部
７２  ユーザー操作部
【図１】
2005154129.tif 000003
【図２】
2005154129.tif 000004
【図３】
2005154129.tif 000005
【図４】
2005154129.tif 000006
【図５】
2005154129.tif 000007
【図６】
2005154129.tif 000008
【図７】
2005154129.tif 000009